(57)【要約】【課題】畦の幅に対応した複数の上面整畦部の連結に際し、新たな工具を必要とすることなく、また、連結に係る構成を簡易にし、容易かつ迅速に着脱作業を行うことができる畦塗り機の整畦体を提供する。【解決手段】延長上面整畦部４０の底面８４には、上面整畦部３０の頂壁面３１に向けて延びるとともに底面８４と頂壁面３１との位置関係を固定するフック部材４２が設けられている。そして、上面整畦部３０の頂壁面３１には、延長上面整畦部４０を上面整畦部３０の先端部に嵌め込んだ状態において、延長上面整畦部４０のフック部材４２が進入した状態となる切欠部３２が施されている。さらに、上面整畦部３０の頂壁面３１には、延長上面整畦部４０を上面整畦部３０に嵌め込んだ状態のまま回動操作した際に、延長上面整畦部４０のフック部材４２が係合する係合縁部３８も備わっている。このため、上面整畦部３０に対して延長上面整畦部４０を容易かつ迅速に連結することができる。【選択図】図１０
2014014294.tif 000002
【特許請求の範囲】
【請求項１】
扇形の複数枚の法面羽根板を周方向に連結して略円錐形状として構成され、軸回りの回転により畦の法面を整畦する法面整畦部と、
略柱形状であるとともに基端部を前記法面整畦部の頂部に固着され、前記回転により畦の上面を整畦する上面整畦部と、
前記上面整畦部に対して着脱が可能となる略柱形状の延長上面整畦部と、を備え、
前記上面整畦部に対する前記延長上面整畦部の回動により、前記着脱が行えることを特徴とする整畦体を備える畦塗り機。
【請求項２】
前記上面整畦部及び前記延長上面整畦部は、軸方向における前記上面整畦部及び前記延長上面整畦部の位置関係を固定可能な軸方向ロック機構と、前記回動の方向における前記位置関係を固定可能な回動方向ロック機構と、を共に備えていることを特徴とする請求項１に記載の整畦体を備える畦塗り機。
【請求項３】
前記軸方向ロック機構は、前記延長上面整畦部の底面から前記上面整畦部の頂壁面に向けて延びるフック部材と、
前記頂壁面に施され、前記上面整畦部の先端部に前記延長上面整畦部を嵌め込んだ状態において、前記フック部材が進入する切欠部と、
前記延長上面整畦部を回動操作することで、前記フック部材が係合する前記切欠部の係合縁部と、を備えており、
前記回動方向ロック機構は、前記延長上面整畦部の頂面から前記底面にかけて貫通して設けられ、前記頂面から前記底面にかけて二カ所の端部が貫通した状態で保持されるコ字状の把持部材と、
当該把持部材を前記底面の外側に向けて付勢するバネ部材と、
前記上面整畦部の前記頂壁面に設けられ、当該バネ部材の付勢力により前記把持部材の前記端部が前記上面整畦部の前記頂壁面に向けて移動することで、前記端部が嵌合する嵌合孔と、を備えていることを特徴とする請求項２に記載の整畦体を備える畦塗り機。
【請求項４】
前記把持部材は、
前記端部が前記嵌合孔から抜けた状態で、前記バネ部材の前記付勢力に反して前記頂面の外側に向けて移動した際に、前記頂面の外側近傍に露出する解除ロック孔と、
前記端部が前記嵌合孔に嵌合した状態で、前記バネ部材の前記付勢力によって前記頂面の内側に向けて移動した際に、前記頂面の外側近傍に露出する装着ロック孔と、を有し、
前記解除ロック孔及び前記装着ロック孔にピン部材を介挿させることで、各々の状態において前記把持部材を固定することを特徴とする請求項３に記載の整畦体を備える畦塗り機。
【請求項５】
前記上面整畦部に対して前記延長上面整畦部を回動させる際の回動終了位置として、前記上面整畦部の外表面に第一指標が設けられ、
前記延長上面整畦部の前記外表面に、前記回動を行った際に、前記第一指標の近傍に移動することとなる第二指標を設けたことを特徴とする請求項４に記載の整畦体を備える畦塗り機。
【発明の詳細な説明】
【技術分野】
【０００１】
本発明は、畦の法面を整畦する法面整畦部及び畦の上面を整畦する上面整畦部から構成される整畦体を備える畦塗り機に関する。
【背景技術】
【０００２】
従来、畦塗り機の整畦体として、畦の法面を整畦するために、扇形の複数枚の法面羽根板を周方向に連結して略円錐形状に構成された法面整畦部と、畦の上面を整畦するために、その法面整畦部の頂部に装着されるとともに略柱形状に構成された上面整畦部とを有する整畦体が知られている。
【０００３】
そして、上面整畦部は、畦塗り作業において、畦の上面からの反作用を過大に受けるため、法面整畦部の頂部に強固に固定される必要性から、複数本の太いボルトを介して、法面整畦部の頂部に固着されることとなる。
【０００４】
ここにおいて、実際の畦塗り作業においては、圃場により畦の幅が異なることがあり、予め上面整畦部を複数個用意しておき、畦の幅を確認した上で、その都度、その幅に合わせて上面整畦部を連結して装着する手法が採り行われている（特許文献１）。
【０００５】
このため、複数本の太いボルトを用いて複数個の上面整畦部を連結する必要がある構成（特許文献１）においては、畦の幅に適した上面整畦部を適宜設定した上で、工具等を用いて、複数の上面整畦部を軸方向に連結することとしている。
【０００６】
また、その一方で、圃場によって異なる畦の形態に対応するため、上面整畦部にカムレバー等からなる着脱機構を備え、その都度、そのカムレバー等の簡易操作によって、法面整畦部に対して上面整畦部を取り外し、畦の形態に適した上面整畦部を法面整畦部に装着する構成も知られている（特許文献２）。
【先行技術文献】
【特許文献】
【０００７】
【特許文献１】特開２００７−６８２６号公報
【特許文献２】特開２０１１−１２５３０３号公報
【発明の概要】
【発明が解決しようとする課題】
【０００８】
しかしながら、複数本の太いボルトを用いて複数の上面整畦部を軸方向に連結する構成（特許文献１）においては、そのボルトの着脱のため工具を必要とし、作業が煩雑になり、また、上面整畦部の側面にボルトを取り付けるタップ（穴部）を施していることから、そのタップへの土付着が発生し、ボルトの締め付け不良を引き起こしてしまうといった問題があった。
【０００９】
また、上面整畦部にカムレバー等からなる着脱機構を備えた構成（特許文献２）においては、法面整畦部の頂部においても、その着脱機構に対応した機構を備えることが必要となり、また、カムレバー等からなる着脱機構が複雑なことから、部品等のコストアップを招いてしまうといった問題があった。
さらに、機構の複雑性から壊れやすいといった問題もあった。
【００１０】
そこで本発明は、畦の幅に対応した複数の上面整畦部の連結に際し、新たな工具を必要とすることなく、また、連結に係る構成を簡易にし、容易かつ迅速に着脱作業を行うことができる畦塗り機の整畦体を提供することを目的とする。
【課題を解決するための手段】
【００１１】
請求項１に記載の発明は、畦塗り機の整畦体であって、扇形の複数枚の法面羽根板を周方向に連結して略円錐形状として構成され、軸回りの回転により畦の法面を整畦する法面整畦部と、略柱形状であるとともに基端部を前記法面整畦部の頂部に固着され、前記回転により畦の上面を整畦する上面整畦部と、前記上面整畦部に対して着脱が可能となる略柱形状の延長上面整畦部と、を備え、前記上面整畦部に対する前記延長上面整畦部の回動により、前記着脱が行えることを特徴とする。
【００１２】
請求項２に記載の発明は、請求項１に記載の整畦体であって、前記上面整畦部及び前記延長上面整畦部は、軸方向における前記上面整畦部及び前記延長上面整畦部の位置関係を固定可能な軸方向ロック機構と、前記回動の方向における前記位置関係を固定可能な回動方向ロック機構と、を共に備えていることを特徴とする。
【００１３】
請求項３に記載の発明は、請求項２に記載の整畦体であって、前記軸方向ロック機構は、前記延長上面整畦部の底面から前記上面整畦部の頂壁面に向けて延びるフック部材と、前記頂壁面に施され、前記上面整畦部の先端部に前記延長上面整畦部を嵌め込んだ状態において、前記フック部材が進入する切欠部と、前記延長上面整畦部を回動操作することで、前記フック部材が係合する前記切欠部の係合縁部と、を備えており、前記回動方向ロック機構は、前記延長上面整畦部の頂面から前記底面にかけて貫通して設けられ、前記頂面から前記底面にかけて二カ所の端部が貫通した状態で保持されるコ字状の把持部材と、当該把持部材を前記底面の外側に向けて付勢するバネ部材と、前記上面整畦部の前記頂壁面に設けられ、当該バネ部材の付勢力により前記把持部材の前記端部が前記上面整畦部の前記頂壁面に向けて移動することで、前記端部が嵌合する嵌合孔と、を備えていることを特徴とする。
【００１４】
請求項４に記載の発明は、請求項３に記載の整畦体であって、前記把持部材は、前記端部が前記嵌合孔から抜けた状態で、前記バネ部材の前記付勢力に反して前記頂面の外側に向けて移動した際に、前記頂面の外側近傍に露出する解除ロック孔と、前記端部が前記嵌合孔に嵌合した状態で、前記バネ部材の前記付勢力によって前記頂面の内側に向けて移動した際に、前記頂面の外側近傍に露出する装着ロック孔と、を有し、前記解除ロック孔及び前記装着ロック孔にピン部材を介挿させることで、各々の状態において前記把持部材を固定することを特徴とする。
【００１５】
請求項５に記載の発明は、請求項４に記載の整畦体であって、前記上面整畦部に対して前記延長上面整畦部を回動させる際の回動終了位置として、前記上面整畦部の外表面に第一指標が設けられ、前記延長上面整畦部の前記外表面に、前記回動を行った際に、前記第一指標の近傍に移動することとなる第二指標を設けたことを特徴とする。
【発明の効果】
【００１６】
本発明によれば、上面整畦部を延長する場合に、工具等を用いることなく、既設の上面整畦部の先端部に延長上面整畦部を容易かつ迅速に取り付けることができるため、短時間で作業を行うことができる。
【００１７】
さらに、軸方向ロック機構及び回動方向ロック機構を共に備えることで、延長上面整畦部を上面整畦部に嵌め込んだ後に、延長上面整畦部を一方の方向に回動させるだけで、既設の上面整畦部に対して延長上面整畦部がロック保持され、また、取り外す時には、延長上面整畦部を他方の方向に回動させることでロックが解除されることから、操作が容易であり、迅速に着脱作業を行うことができる。
【００１８】
また、上面整畦部に対して延長上面整畦部を回動させる際の回動終了位置として、上面整畦部の外表面に第一指標を設けるとともに、延長上面整畦部の外表面に、回動操作を行った際に、その第一指標の近傍に移動することとなる第二指標を設けておくことにより、ユーザは、第二指標が第一指標に対してどの程度近づいたか確認しながら、回動操作の程度を認識することができる。
【図面の簡単な説明】
【００１９】
【図１】本発明を適用した畦塗り機の部分平面図を示す。
【図２】本発明を適用した畦塗り機の側面図を示す。
【図３】本発明を適用した畦塗り機の斜視図を示し、同図（ａ）は畦塗り機の左斜め後方から見た畦塗り機の斜視図であり、同図（ｂ）は畦塗り機の右斜め後方から見た畦塗り機の斜視図である。
【図４】本発明を適用した畦塗り機に設けられたオフセットフレームの先端側の部分拡大模式側面図を示す。
【図５】本発明を適用した法面整畦部の斜視図を示す。
【図６】本発明を適用した上面整畦部の断面構成図等を示す。
【図７】本発明を適用した延長上面整畦部の断面構成図等を示す。
【図８】本発明を適用した把持部材等の断面構成図を示す。
【図９】本発明を適用したフック部材等の断面構成図を示す。
【図１０】本発明を適用した上面整畦部及び延長上面整畦部の断面構成図を示す。
【図１１】本発明を適用した上面整畦部及び延長上面整畦部の断面構成図を示す。
【図１２】本発明を適用した上面整畦部及び延長上面整畦部の断面構成図を示す。
【図１３】本発明を適用した上面整畦部及び延長上面整畦部の断面構成図を示す。
【図１４】本発明を適用した上面整畦部及び延長上面整畦部の断面構成図を示す。
【図１５】本発明を適用した上面整畦部及び延長上面整畦部の断面構成図を示す。
【図１６】本発明を適用した上面整畦部及び延長上面整畦部の構成図を示す。
【図１７】本発明を適用した延長上面整畦部におけるピン部材の構成図を示す。
【図１８】本発明を適用した延長上面整畦部を格納するための構成図を示す。
【発明を実施するための形態】
【００２０】
以下、本発明に係る整畦体の好ましい実施の形態について、説明する。
ここにおいて、先ず、図１（部分平面図）及び図２（側面図）を参照しながら、走行機体に牽引される畦塗り機の全体的な概要を説明し、説明の参考として、畦塗り機の斜視図（図３）も参照する。
【００２１】
畦塗り機１は、図１及び図２に示すように、走行機体９０の後部に設けられた三点リンク連結機構９１に連結されて、走行機体９０の前進及び後進に応じて畦塗り作業を行うものである。この畦塗り機１は、走行機体９０に装着されて走行機体９０からの動力が入力される入力軸８ａを備えた装着部５と、装着部５に設けられ進行方向に対して左右方向に回動可能に支持されたオフセット機構部１０と、オフセット機構部１０の先端側に旋回自在に配設されて入力軸８ａから伝達される動力によって作業を行なう作業部６０を有して構成される。
【００２２】
装着部５は、機体幅方向に延びるヒッチフレーム６と、ヒッチフレーム６の前方に設けられて走行機体９０の後部に設けられた三点リンク連結機構９１に連結される連結フレーム９を有して構成される。ヒッチフレーム６の幅方向の中央下部にはギアボックス８が設けられ、このギアボックス８には前述した入力軸８ａが設けられている。
【００２３】
オフセット機構部１０は、その基端側をヒッチフレーム６に回動自在に連結されて後方側へ延びるオフセットフレーム１１と、オフセットフレーム１１の幅方向一方側に沿って並設されて基端側がヒッチフレーム６の一方側端に回動自在に連結されたリンク部材１３と、オフセットフレーム１１の先端側とリンク部材１３の先端側との間に回動自在に連結された回動支持アーム１５とを有して構成される。
【００２４】
オフセットフレーム１１は、内部が中空状に形成された箱状部材であり、オフセットフレーム１１の先端側とヒッチフレーム６の一方側端部との間に接続された揺動シリンダ１７の伸縮により、オフセットフレーム１１は進行方向に対して左右方向に揺動可能である。また、オフセットフレーム１１の上部には動力伝達機構（図示省略）が設けられ、この動力伝達機構によって、走行機体９０から入力軸８ａに伝達された動力がオフセットフレーム１１の先端側に回転自在に配設された従動軸１２に伝達可能に構成されている。
【００２５】
リンク部材１３の先端部は、オフセットフレーム１１の先端部に回動自在に設けられた回動支持アーム１５の一方側端に回動自在に取り付けられている。
ここで、図３（ａ）を参照しながら詳細に説明すると、回動支持アーム１５は、進行方向に対して左右方向に延びる平行リンクフレーム部１５ａと、平行リンクフレーム部１５ａの基端側端部分から装着部５側へ延びるリンクアーム部１５ｂとを有してなり、リンクアーム部１５ｂの基端側がオフセットフレーム１１の先端側下部に回動自在に取り付けられている。
このように構成されたオフセット機構部１０は、図１に示す通り、オフセットフレーム１１、リンク部材１３、ヒッチフレーム６及び回動支持アーム１５によって平行リンク機構を形成している。
【００２６】
なお、揺動シリンダ１７は、電動式油圧シリンダであり、図示しない制御装置からの制御信号に応じて伸縮するようになっている。
【００２７】
また、図４（部分拡大模式側面図）に示すように、オフセットフレーム１１の先端部に設けられた従動軸１２の下部には、動力伝達軸１４が従動軸１２と同軸上に配置されて下方へ連結されて、動力伝達軸１４は従動軸１２の回転に伴って回転する。またオフセットフレーム１１の先端下部には、動力伝達軸１４と同軸上に配置された円筒状の連結部１８がオフセットフレーム１１に対して回動自在に取り付けられている。この連結部１８は動力伝達軸１４と非結合状態にあり、動力伝達軸１４を回動中心として回動自在である。この連結部１８の下部に作業部６０の一部である伝動支持ケース６１の基端部が接続され、連結部１８の上部に作業部６０の一部である伝動支持フレーム６５が接続されている。このため、作業部６０はオフセット機構部１０に設けられた動力伝達軸１４の中心軸線を回動支点Ｏとして回動可能である。
【００２８】
なお、本実施形態においては、畦塗り機の構成のうち、回動支点Ｏを回動の中心軸として回動することが可能な部位であって、伝動支持ケース６１及び伝動支持フレーム６５を含み、その先端部側に配設される天場処理部６２、前処理部６４、整畦体６６の構成を、作業部６０として定義し、説明する。
【００２９】
伝動支持ケース６１には、図１、図３（ａ）、図３（ｂ）に示すように、その先端側には、圃場の周辺に沿って形成された旧畦の上部を切り崩す天場処理部６２と、切り崩した土の土盛りを行なう前処理部６４が配設され、伝動支持ケース６１の基端側には盛られた土を切り崩された旧畦上に塗り付ける整畦体６６が配設されている。伝動支持ケース６１内には不図示の動力伝達機構が内蔵され、この動力伝達機構は、従動軸１２からの動力を受けて天場処理部６２、前処理部６４、整畦体６６に動力伝達可能に構成されている。
【００３０】
天場処理部６２は、回転自在な天場処理ロータ６２ａ（図３（ｂ）参照）を備える。天場処理ロータ６２ａは天場動力伝達ケース６３を介して上下方向に回動可能に伝動支持ケース６１に連結された前処理部６４の先端部に連結されるとともに、伝動支持フレーム６５を介して支持されている。天場動力伝達ケース６３内には図示しない動力伝達機構が内蔵され、この動力伝達機構を介して伝動支持ケース６１の動力伝達機構に伝達された動力が天場処理ロータ６２ａに伝達されるようになっている。
【００３１】
前処理部６４は、回転自在な耕耘爪６４ａ（図２参照）を備える。耕耘爪６４ａは伝動支持ケース６１内の動力伝達機構を介して動力が伝達され、前処理部６４は伝動支持ケース６１に連結され伝動支持フレーム６５を介して支持されている。
【００３２】
整畦体６６は、伝動支持ケース６１に回転自在に支持された略円錐形状の法面整畦部２０と、法面整畦部２０の頂部に取り付けられて畦方向に延びる上面整畦部３０と、その上面整畦部３０の先端部に連結された延長上面整畦部４０とを有してなる。整畦体６６は伝動支持ケース６１内の動力伝達機構を介して回転動力が伝達されるように構成され、伝動支持ケース６１に支持されている。このため、作業部６０は連結部１８を介してオフセット機構部１０の先端側に設けられた動力伝達軸１４（図４参照）の中心軸線を回動支点Ｏとして旋回可能である。
【００３３】
次に、法面整畦部２０及び法面整畦部２０を構成する法面羽根板２１について、図５を参照しながら説明する。
法面整畦部２０は、図５に示す通り、扇形をした複数枚の法面羽根板２１を半径方向の直線部分で互いに連結することにより全体として略円錐形状に形成されており、中心位置である頂部には、複数枚の法面羽根板２１を連結する際の位置決めの基準になるとともに、上面整畦部３０を固定するための固定部２４が配置されている。
【００３４】
また、各々の法面羽根板２１は、法面整畦部２０の回転方向（図中矢印Ｖ）の下流側に向けて張り出す張出部２２と、回転方向の上流側に向けて延びる重なり部２３とを有している。
そして、周方向に隣接する複数枚の法面羽根板２１は、互いの境界部分において上下間隔を置き、法面整畦部２０における回転方向の下流側に位置する下流側法面羽根板２１ｂの重なり部２３を、上流側に位置する上流側法面羽根板２１ａの張出部２２の背面側に連結されている。
【００３５】
具体的に説明すると、互いに隣接する上流側法面羽根板２１ａ及び下流側法面羽根板２１ｂは、上流側法面羽根板２１ａと下流側法面羽根板２１ｂとの間に固定部２４の保持部２４ａを挟み込むことで支持され、この上流側法面羽根板２１ａ及び下流側法面羽根板２１ｂの間に上下間隔が形成された状態で、互いに溶接等により接合されている。
【００３６】
このように、上下間隔を設けておくことで、法面整畦部２０が図中矢印Ｖに向けて回転して、整畦が行われる際には、各法面羽根板２１の表面と畦の法面との間の距離は、この回転方向の上流側から下流側へかけて次第に小さくなるため、各法面羽根板２１による畦の法面を押圧する力が上流側から下流側へかけて次第に大きくなり、効果的に土表面を締め固めることが可能となっている。
【００３７】
なお、固定部２４には、上面整畦部３０を固定するため、ボルト等を貫通可能とする孔２４ｃが設けられている。
【００３８】
次に、上面整畦部３０及び延長上面整畦部４０の詳細な構成について、図６（ａ）、（ｂ）及び図７（ａ）、（ｂ）を参照しながら説明する。
ここにおいて、図６（ａ）及び図７（ａ）は、それぞれ上面整畦部３０及び延長上面整畦部４０の構成について、説明の便宜上、主要な構成を理解し易く示した断面構成を示すものである。
【００３９】
そして、図６（ｂ）及び図７（ｂ）は、図６（ａ）及び図７（ａ）に示す各々の構成について、上面整畦部３０の頂壁面３１（延長上面整畦部４０の頂面４１）から法面整畦部２０の方向を見た実際の外観を示している。
なお、図６（ａ）は図６（ｂ）におけるＡ−Ａ断面を示し、図７（ａ）は図７（ｂ）におけるＢ−Ｂ断面を示すものである。
【００４０】
図６（ａ）及び（ｂ）に示す通り、本実施形態において上面整畦部３０は、法面整畦部２０の固定部２４側に配置されている。
より詳細に説明すると、法面整畦部２０の固定部２４は、ドラムスペーサ７０及び動力伝達シャフト７２からの動力を整畦体６６に伝達するドラムボス７１に挟持されており、上面整畦部３０が、複数本のボルト７をドラムスペーサ７０の貫通孔２４ｄ及び固定部２４の孔２４ｃを貫通させるとともに、そのボルト７の先端をドラムボス７１のねじ孔２４ｂに螺入することによって、固定されている。
【００４１】
ここにおいて、上面整畦部３０の頂壁面３１について、断面構成図である図６（ａ）及び外観図である図６（ｂ）を用いて説明すると、頂壁面３１には、ボルト７が貫通するボルト締結孔７ａが施されている。
そして、本発明の特徴事項である切欠部３２及び嵌合孔３５が施されており、更に、切欠部３２の縁部には、係合縁部３８が設けられている。
【００４２】
次に、上面整畦部３０に装着される延長上面整畦部４０について、延長上面整畦部４０の断面構成図等を示す図７（ａ）及び（ｂ）を参照しながら説明する。
【００４３】
ここで、図７（ａ）に示す通り、延長上面整畦部４０の側面４３の基端部の内側面には、周方向に亘って緩衝部材４８が設けられており、延長上面整畦部４０を上面整畦部３０の先端部に嵌め込んだ状態において、緩衝部材４８が上面整畦部３０における段付き周面２７に嵌ることとなっている。
【００４４】
さらに、本発明の特徴事項であるコ字状の把持部材４４が二カ所の端部４４ａを上面整畦部３０に向けた状態で、頂面４１から底面８４にかけて貫通させて保持されている（図７（ａ）においては部分表示）。
特に、底面８４においては、端部４４ａ（二カ所）にバネ部材４４ｂ（後述）を備え、把持部材４４の端部４４ａは、常に上面整畦部３０に向けて付勢されて保持されている。
【００４５】
ここで、図８（ａ）及び（ｂ）を用いて、把持部材４４の端部４４ａ及びバネ部材４４ｂの構成等について、説明する。
詳細な構成として、図８（ａ）に示す通り、把持部材４４における二カ所の端部４４ａとともに、バネ部材４４ｂが底面８４を貫通させて保持されており、バネ部材４４ｂの一端は、底面８４の内側において底面８４に固定されている内部バネ係止部４６ａに係止され、他端は、底面８４の外側において端部４４ａに固定されている外部バネ係止部４６ｂに係止されており、両端を保持されている。
【００４６】
そして、ユーザが、把持部材４４の操作部４４ｃを頂面４１の外側に引き出した際（図８（ｂ）参照）には、端部４４ａが底面８４に近づくように摺動するとともに、バネ部材４４ｂは、内部バネ係止部４６ａに係止されている端部は動くことなく、外部バネ係止部４６ｂに係止されている端部は端部４４ａの動きとともに、底面８４に向けて縮むこととなる。
【００４７】
つまり、ユーザは、頂面４１において延長上面整畦部４０の内側に沈む方向に向けて付勢しているバネ部材４４ｂの付勢力に反して、把持部材４４の操作部４４ｃを外側に引き出すことで、端部４４ａが摺動することとなる。
【００４８】
ここにおいて、図７（ａ）及び（ｂ）を参照すると、延長上面整畦部４０の底面８４には、延長上面整畦部４０を上面整畦部３０に嵌め込んだ際に、その底面８４から上面整畦部３０の頂壁面３１に向けて延び、底面８４と頂壁面３１との軸方向の位置関係を固定するフック部材４２が設けられている。
【００４９】
本発明の特徴事項であるこのフック部材４２の構成について、拡大して示した図９を用いて説明すると、フック部材４２は基端を底面８４に固定され、図面（図９）の左側を湾曲形状とする先端突出部４２ａと、凹部４２ｂとを有している。
【００５０】
ここで、図６（ａ）及び（ｂ）にて示した上面整畦部３０の先端部に、図７（ａ）及び（ｂ）にて示した延長上面整畦部４０を嵌め込んだ状態について、説明の便宜上、主要な構成を理解し易く示した断面構成図である図１０を参照しながら説明する。
図１０に示す通り、延長上面整畦部４０を上面整畦部３０の先端部に嵌め込んだ場合には、延長上面整畦部４０と上面整畦部３０とが軸方向に連結した状態となる。
【００５１】
本実施形態においては、上面整畦部３０の頂壁面３１の周囲に、周方向に亘って、段付き周面２７を施しており、延長上面整畦部４０を上面整畦部３０に嵌め込んだ際には、延長上面整畦部４０の基端部に設けた緩衝部材４８が、段付き周面２７に嵌め合わさることとなる。
このため、延長上面整畦部４０における端の位置を確実に固定することができ、上面整畦部３０と延長上面整畦部４０との軸合わせが容易に行える。
【００５２】
ここで、上面整畦部３０への延長上面整畦部４０の着脱に係る構成について、説明する。
延長上面整畦部４０の底面８４には、その底面８４から上面整畦部３０の頂壁面３１に向けて延び、底面８４と頂壁面３１との位置関係を固定するフック部材４２が設けられている。
【００５３】
そして、上面整畦部３０の頂壁面３１には、図１０に示す通り、延長上面整畦部４０を上面整畦部３０の先端部に嵌め込んだ状態において、フック部材４２が進入した状態となる切欠部３２が施されている。
【００５４】
さらに、切欠部３２には、延長上面整畦部４０を上面整畦部３０に嵌め込んだ状態のまま、ユーザが上面整畦部３０に対して延長上面整畦部４０を回動操作させた際に、延長上面整畦部４０のフック部材４２が係合する係合縁部３８が備わっている。
【００５５】
つまり、本実施形態においては、このフック部材４２が係合縁部３８へ係合することで、上面整畦部３０及び延長上面整畦部４０の軸方向への位置関係が固定されることとなる。
【００５６】
そして、この上面整畦部３０と延長上面整畦部４０との軸方向における位置関係を固定する軸方向ロック機構を構成する、これらフック部材４２、切欠部３２及び係合縁部３８については、少なくとも軸方向における互いの位置関係が固定されるかぎり、大きさや、フック部材４２と係合縁部３８との係合する位置などを限定するものではない。
【００５７】
なお、図９にて先述した通り、本実施形態におけるフック部材４２は、先端部である先端突出部４２ａが湾曲形状とされており、延長上面整畦部４０を上面整畦部３０に嵌め込んだ際に、その湾曲形状とされている先端突出部４２ａが切欠部３２の縁部に接触した場合であっても、スムーズにフック部材４２が切欠部３２に侵入するようにガイドされる。
【００５８】
ここで、延長上面整畦部４０の頂面４１には、図７（ａ）及び（ｂ）にて先述した通り、コ字状の把持部材４４（図１０においては部分表示）が保持されており、二カ所の端部４４ａを上面整畦部３０の頂壁面３１に向けた状態として、頂面４１から底面８４にかけて貫通させて保持されている。
【００５９】
そして、図１０に示す通り、本実施形態においては、底面８４から上面整畦部３０の頂壁面３１に向けて露出している把持部材４４の端部４４ａ（二カ所）にバネ部材４４ｂを備えており、把持部材４４の端部４４ａは、常に上面整畦部３０の頂壁面３１に向けた方向、言い換えると、延長上面整畦部４０の頂面４１における外観上、延長上面整畦部４０の内側に沈む方向に向けて付勢されている。
【００６０】
さらに、上面整畦部３０の頂壁面３１には、延長上面整畦部４０を上面整畦部３０に嵌め込んだ状態のまま、ユーザが上面整畦部３０に対して延長上面整畦部４０を回動操作させた際に、把持部材４４の端部４４ａが嵌合する嵌合孔３５が施されている。
【００６１】
つまり、本実施形態においては、バネ部材４４ｂの付勢力によって端部４４ａが嵌合孔３５へ嵌合することで、上面整畦部３０及び延長上面整畦部４０の回動方向への位置関係が固定されることとなる。
【００６２】
そして、この上面整畦部３０と延長上面整畦部４０との回動方向における位置関係を固定する回動方向ロック機構を構成する、これらバネ部材４４ｂ、端部４４ａ（把持部材４４）及び嵌合孔３５については、少なくとも回動方向における互いの位置関係が固定されるかぎり、大きさや、端部４４ａと嵌合孔３５との嵌合する位置などを限定するものではない。
【００６３】
次に、延長上面整畦部４０を上面整畦部３０の先端部に嵌め込んだ状態を維持しつつ、延長上面整畦部４０を回動操作して上面整畦部３０に装着し、又は取り外す方法について、図１１〜図１５を参照しながら説明する。
【００６４】
ここで、図１１（ａ）、図１２（ａ）、図１３（ａ）は、図１０に示す状態と同じく延長上面整畦部４０を上面整畦部３０に嵌め込んだ状態について、説明の便宜上、主要な構成を理解し易く示した断面構成を示すものである。
【００６５】
そして、図１１（ｂ）、図１２（ｂ）、図１３（ｂ）は、図１１（ａ）、図１２（ａ）、図１３（ａ）に示す各々の状態において、延長上面整畦部４０の頂面４１から上面整畦部３０の方向を見た説明用の外観を示している。
【００６６】
また、図１４（ａ）、図１５（ａ）についても、図１０に示す状態と同じく延長上面整畦部４０を上面整畦部３０に嵌め込んだ状態について、説明の便宜上、主要な構成を理解し易く示した断面構成を示すものであり、図１４（ｂ）及び図１５（ｂ）は、図１４（ａ）及び図１５（ａ）に示す各々の状態において、延長上面整畦部４０の頂面４１から上面整畦部３０の方向を見た説明用の外観を示している。
【００６７】
先ず、図１１（ａ）に示す通り、延長上面整畦部４０を上面整畦部３０に嵌め込んだ状態においては、延長上面整畦部４０のフック部材４２が、上面整畦部３０の切欠部３２に進入した状態となり、把持部材４４の端部４４ａが上面整畦部３０の頂壁面３１に当接した状態となる。
【００６８】
ここにおいて、フック部材４２は、延長上面整畦部４０の上面整畦部３０への装着及びロックのため、図１１（ａ）に示す通り、切欠部３２に進入した状態となった後、その後の延長上面整畦部４０の回動操作により、切欠部３２の縁であって係合縁部３８に係合する構成とされており、延長上面整畦部４０を上面整畦部３０に嵌め込んだ段階で、切欠部３２に進入させておく必要がある。
【００６９】
また、本実施形態においては、延長上面整畦部４０の頂面４１から上面整畦部３０の方向を見た外観である図１１（ｂ）に示す通り、フック部材４２（実線表示）を二カ所設け、フック部材４２が進入する上面整畦部３０の切欠部３２（点線表示）についても二カ所設けている。
【００７０】
また、先述した通り、延長上面整畦部４０の側面４３の基端部の内側面には、周方向に亘って緩衝部材４８が設けられており、延長上面整畦部４０を上面整畦部３０に嵌め込んだ際には、上面整畦部３０の頂壁面３１の周囲に施された段付き周面２７に嵌め合わさることとなる。
【００７１】
このため、ユーザが意識すること無く、延長上面整畦部４０と上面整畦部３０との軸合わせが容易に行われるため、当該ユーザは、フック部材４２と切欠部３２との位置合わせについて、径方向の位置調整を全く意識することなく、周方向の位置合わせのみを意識して、フック部材４２を切欠部３２に進入させればよく、操作性に優れるものである。
【００７２】
ここで図１２（ａ）は、図１１（ａ）に示す状態から、ユーザが更に延長上面整畦部４０を上面整畦部３０に向けて押し込んだ状態を示している。
図１２（ａ）に示す通り、図中矢印Ｔの方向に向けてユーザが延長上面整畦部４０の頂面４１を押し込むことで、バネ部材４４ｂが縮んだ状態となり、フック部材４２の先端が上面整畦部３０の切欠部３２の中を、更に進入することとなる。
【００７３】
この場合、実際にユーザが図中矢印Ｔの方向に向けて頂面４１を押し込むことで、緩衝部材４８が圧縮され、延長上面整畦部４０が上面整畦部３０に向けて、僅かに移動することとなる。
【００７４】
そして、フック部材４２の先端突出部４２ａは、上面整畦部３０の頂壁面３１の裏側に延出することとなり、フック部材４２の凹部４２ｂは、上面整畦部３０の軸方向において、頂壁面３１の位置であって係合縁部３８と同じ深さ位置に移動した状態となる。
【００７５】
ここで、図１２（ｂ）は、図１２（ａ）に示す状態において、ユーザによる図中矢印Ｔの方向への押し込んだ状態を示しており、この後ユーザは、図１２（ａ）に示す図中矢印Ｔの方向への押し込み状態を維持しつつ、図１２（ｂ）に示す図中矢印Ｒの方向へ回動操作することで、延長上面整畦部４０を上面整畦部３０に装着及びロックすること（図１３（ａ）に示す状態）ができ、その詳細を次に説明する。
【００７６】
先述した通り、図１２（ａ）に示す状態においては、フック部材４２の凹部４２ｂが、上面整畦部３０の軸方向において、頂壁面３１と同じ位置に移動した状態を維持されている。
【００７７】
そして、その状態を維持しつつ、図１２（ｂ）に示す図中矢印Ｒの方向に、延長上面整畦部４０を回動操作することで、先ず、フック部材４２の凹部４２ｂの中に、上面整畦部３０の頂壁面３１であって係合縁部３８が侵入することとなる。
【００７８】
その後、更に延長上面整畦部４０を回動操作し続けることで、図１３（ａ）に示す通り、凹部４２ｂが係合縁部３８に当接して、延長上面整畦部４０の回動が止まり、この時点において、フック部材４２が係合縁部３８に係合したことになる。
【００７９】
ここにおいて、延長上面整畦部４０を、図１２（ｂ）に示す図中矢印Ｒの方向に回動操作していくことで、把持部材４４の端部４４ａが上面整畦部３０の嵌合孔３５に近づき、さらに、嵌合孔３５に近接した状態から、端部４４ａが徐々に嵌合孔３５に滑り込み、最終的に、フック部材４２の凹部４２ｂが係合縁部３８に当接した時点で、端部４４ａ自身が嵌合孔３５に落ちることで、嵌合孔３５に嵌合したこととなる。
【００８０】
つまり、フック部材４２の係合縁部３８への係合と略同時期に、把持部材４４の端部４４ａが、バネ部材４４ｂの付勢力によって、上面整畦部３０の嵌合孔３５に嵌合し、上面整畦部３０に対する延長上面整畦部４０の位置が固定され、延長上面整畦部４０が上面整畦部３０に装着及びロックされた状態となる。
【００８１】
また、図１３（ｂ）に示す通り、複数のフック部材４２（実線表示）が、上面整畦部３０の係合縁部３８（点線表示）に係合した状態となり、かつ、把持部材４４の端部４４ａ（二カ所）が、上面整畦部３０の嵌合孔３５に嵌合した状態となり、延長上面整畦部４０は、図１２（ｂ）に示した図中矢印Ｒの方向にそれ以上動くことがなく、図中矢印Ｒとは反対の方向にも動くことができなくなる。
【００８２】
これらをまとめると、延長上面整畦部４０を上面整畦部３０に装着する場合に、ユーザは、延長上面整畦部４０を持ちつつ、その延長上面整畦部４０を更に押し込みながら、回動操作させるだけで延長上面整畦部４０が上面整畦部３０に装着及びロックすることができ、操作の容易性及び迅速性を充足することとなる。
【００８３】
次に、延長上面整畦部４０を上面整畦部３０から取り外す方法について、図１４及び図１５を参照しながら説明する。
ここにおいて、図１４（ａ）は、図１３（ａ）に示す状態から、ユーザの操作により把持部材４４の端部４４ａが嵌合孔３５から抜けた状態を示しており、図１４（ｂ）は、図１４（ａ）に示す状態において、延長上面整畦部４０の頂面４１から上面整畦部３０の方向を見た実際の外観を示している。
【００８４】
また、図１５（ａ）は、把持部材４４の端部４４ａが嵌合孔３５から抜けた状態のまま、ユーザの操作により延長上面整畦部４０を回動操作させた状態を示しており、図１５（ｂ）は、図１５（ａ）に示す状態において、延長上面整畦部４０の頂面４１から上面整畦部３０の方向を見た実際の外観を示している。
【００８５】
ここで、延長上面整畦部４０が上面整畦部３０に装着及びロックされた状態（図１３（ａ）及び（ｂ）に示す状態）から、延長上面整畦部４０を取り外すには、図１４（ａ）に示すように、ユーザの操作により、先ず、把持部材４４の操作部４４ｃを、バネ部材４４ｂの付勢力の働く方向とは反対の方向であって、図中矢印Ｕの方向に引き出し、把持部材４４の端部４４ａを上面整畦部３０の嵌合孔３５から抜く操作を行う。
【００８６】
ここにおいて、図１４（ｂ）は、図１４（ａ）における延長上面整畦部４０の頂面４１から上面整畦部３０の方向を見た外観を示しており、図１４（ａ）に示す状態が、操作部４４ｃが図中矢印Ｕの方向への引き出されただけの状態であるため、外観上、図１３（ｂ）に示す状態と何ら変わりはない。
【００８７】
なお、ユーザは、図１４（ａ）に示す図中矢印Ｕの方向への操作部４４ｃの引き出し状態を維持しつつ、把持部材４４の操作部４４ｃを図１４（ｂ）に示す図中矢印Ｎの方向に回動操作することで、延長上面整畦部４０を上面整畦部３０に装着及びロックされていた状態を解除すること（図１５（ａ）に示す状態）ができ、その詳細を次に説明する。
【００８８】
先述した通り、図１４（ａ）に示す状態においては、ユーザの操作により、バネ部材４４ｂの付勢力に反して操作部４４ｃを引き出すことで、把持部材４４の端部４４ａが上面整畦部３０の嵌合孔３５から抜かれた状態とされており、その状態のまま、ユーザが更に図１４（ｂ）に示す図中矢印Ｎの方向に回動操作させることで、図１５（ａ）に示すように、把持部材４４の端部４４ａが上面整畦部３０の頂壁面３１の表面に移動することとなる。
【００８９】
そして、図１５（ａ）に示す通り、その端部４４ａの頂壁面３１の表面への移動と同時に、フック部材４２の凹部４２ｂと係合縁部３８との係合状態が解除され、フック部材４２は切欠部３２の中を移動することとなる。
【００９０】
また、図１５（ｂ）に示す通り、複数のフック部材４２（実線表示）が、上面整畦部３０の切欠部３２（点線表示）の係合縁部３８と離れた状態、つまり、係合が解除された状態となり、かつ、把持部材４４の端部４４ａ（二カ所）が、上面整畦部３０の嵌合孔３５から抜けた状態となっているため、ユーザは、上面整畦部３０から延長上面整畦部４０を取り外すことができる。
【００９１】
これらをまとめると、延長上面整畦部４０を上面整畦部３０から取り外す場合に、ユーザは、把持部材４４の操作部４４ｃを引き出しつつ、操作部４４ｃを回動操作させるだけで、延長上面整畦部４０が上面整畦部３０に装着及びロックされていた状態を解除することができ、操作の容易性及び迅速性を充足することとなる。
【００９２】
次に、上面整畦部３０に対して延長上面整畦部４０を回動操作させる際、ユーザがどの程度、回動操作させるべきかを認識可能とする構成について、図１６（ａ）及び（ｂ）を用いて説明する。
【００９３】
ここにおいて、ユーザは、法面整畦部２０に固定されている上面整畦部３０に対して、延長上面整畦部４０をどの程度回動操作させたのか認識できれば良いため、本実施形態においては、固定されている上面整畦部３０と、延長上面整畦部４０との間における回動操作の方向の位置関係を認識するための構成としている。
【００９４】
具体的には、図１６（ａ）及び（ｂ）に示す通り、上面整畦部３０の外表面の特定位置に、上面整畦部３０の先端部に延長上面整畦部４０を嵌め込んだ段階を示す回動開始目印（図中目印Ａ）を設け、更に、延長上面整畦部４０を上面整畦部３０に装着及びロックさせるために回動させて、回動終了位置としての位置を示す第一指標（図中目印Ｂ）を設けておく。
【００９５】
先ず、延長上面整畦部４０を上面整畦部３０に嵌める際には、延長上面整畦部４０の側面４３の外側面に設けられた第二指標（図中目印Ｃ）が上面整畦部３０における回動開始目印（図中目印Ａ）に合うように、延長上面整畦部４０を上面整畦部３０に嵌め込めばよい。
【００９６】
そして、延長上面整畦部４０を上面整畦部３０に嵌めた後に、延長上面整畦部４０の側面４３に設けられた第二指標（図中目印Ｃ）が、上面整畦部３０における第一指標（図中目印Ｂ）に合うようにユーザが延長上面整畦部４０を回動操作させることで、装着及びロックができることとなる。
【００９７】
つまり、本実施形態においては、上面整畦部３０に対して延長上面整畦部４０を回動させる際の回動終了位置として、上面整畦部３０の外表面に第一指標（図中目印Ｂ）を設け、さらに、延長上面整畦部４０には、回動操作を行った際に、その第一指標（図中目印Ｂ）の近傍に移動することとなる第二指標（図中目印Ｃ）を設けた構成としている。
【００９８】
次に、延長上面整畦部４０の軸方向に向けて、把持部材４４の操作部４４ｃが移動する位置を固定するピン部材について、把持部材４４の断面拡大図である図１７を参照しながら説明する。
【００９９】
ここで、図１７（ａ）は、把持部材４４の端部４４ａが嵌合孔３５に係合した状態であって、把持部材４４がバネ部材４４ｂの付勢力によって上面整畦部３０の方向に向けて移動している状態を示し、図１７（ｂ）は、バネ部材４４ｂの付勢力に反して、ユーザが把持部材４４を上面整畦部３０とは反対の方向へ移動させた状態であって、端部４４ａが嵌合孔３５から抜けた状態を示している。
【０１００】
図１７（ａ）に示す通り、把持部材４４における装着ロック孔４４ｄにピン部材５０を挿入しておくことで、把持部材４４の端部４４ａが嵌合孔３５に係合する際に、端部４４ａの軸方向への移動量を所定の範囲に制限することができる。
【０１０１】
また、延長上面整畦部４０を上面整畦部３０から取り外す際には、ユーザ自身が、バネ部材４４ｂの付勢力に反して、把持部材４４の操作部４４ｃを引き出すことになるため、ユーザが操作部４４ｃを引き出した後、図１７（ｂ）に示す通り、把持部材４４における解除ロック孔４４ｅにピン部材５０を挿入しておくことで、ユーザの手を保護することができる。
【０１０２】
具体的には、先ずユーザは、図中矢印Ｕの方向に把持部材４４の操作部４４ｃを引き出した後、解除ロック孔４４ｅにピン部材５０を挿入し、その後はバネ部材４４ｂの付勢力の反発を気にすることなく、操作部４４ｃを回動操作させるだけでよく、操作性に優れるとともに、安全性にも優れる。
【０１０３】
以上から、本発明に係る構成によれば、上面整畦部３０を延長する場合に、工具等を用いることなく、既設の上面整畦部３０の先端部に延長上面整畦部４０を容易かつ迅速に取り付けることができるため、短時間で作業を行うことができる。
【０１０４】
さらに、軸方向ロック機構及び回動方向ロック機構を共に備えることで、延長上面整畦部４０を上面整畦部３０に嵌め込んだ後に、延長上面整畦部４０を一方の方向に回転させるだけで、既設の上面整畦部３０に対して延長上面整畦部４０がロック保持され、また、取り外す時には、延長上面整畦部４０を他方の方向に回転させることでロックが解除されることから、操作が容易であり、迅速に着脱作業を行うことができる。
【０１０５】
また、上面整畦部３０に対して延長上面整畦部４０を回動させる際の回動終了位置として、上面整畦部３０の外表面に第一指標（Ｂ）を設けるとともに、延長上面整畦部４０の外表面に、回動操作を行った際に、その第一指標の近傍に移動することとなる第二指標（Ｃ）を設けておくことにより、ユーザは、第二指標が第一指標に対してどの程度近づいたか確認しながら、回動操作の程度を認識することができる。
【０１０６】
そして、本実施形態においては、略柱形状の上面整畦部３０に、略柱形状の延長上面整畦部４０を装着する構成を用いて説明してきたものの、上面整畦部３０及び延長上面整畦部４０については、土を効果的に畦の上面に押しつけるため、樹脂等の可撓性部材からなる上面羽根板を、回転方向の上流側の端部から下流側の端部に向けて、弾力性を保持しながら徐々に径大として装着した構成として適用しても良い。
【０１０７】
なお、ユーザは、畦の幅に合わせて延長上面整畦部４０を取り外す場合や、元々延長上面整畦部４０を上面整畦部３０に装着しない場合に備え、図１８（ａ）に示す通り、延長上面整畦部４０を格納（収納保持）させるための格納保持機構８０を、畦塗り機１に設けておいても良い。
【０１０８】
この場合、図１８（ｂ）に示す通り、格納保持機構８０を上面整畦部３０の頂壁面３１と略同じ形状としておくことで、延長上面整畦部４０を上面整畦部３０に装着することと同じ要領で、格納保持機構８０にも容易かつ迅速に装着することができ、また、延長上面整畦部４０が必要になった際には、格納保持機構８０からスムーズに取り外すことができる。
【０１０９】
詳細に説明すると、格納保持機構８０においては、格納切欠部８２が頂壁面３１における切欠部３２に相当し、格納係合縁部８８が頂壁面３１における係合縁部３８に相当する。そして、格納嵌合孔８５が頂壁面３１における嵌合孔３５に相当する。
【０１１０】
このため、延長上面整畦部４０を格納保持機構８０に格納する際には、延長上面整畦部４０の基端部を格納保持機構８０に嵌め込み、さらに延長上面整畦部４０の頂面４１を格納保持機構８０に向けて押し込んだ状態を維持しつつ、先述した図１２に示した図中矢印Ｒと同様の方向に回動操作することで、延長上面整畦部４０のフック部材４２が格納係合縁部８８に係合するとともに端部４４ａが格納嵌合孔８５に嵌合し、この結果、延長上面整畦部４０が固定され、格納保持されることとなる。
【０１１１】
そして、延長上面整畦部４０を格納保持機構８０から取り外す際には、延長上面整畦部４０の把持部材４４を引き出した状態を維持しつつ、延長上面整畦部４０を回動操作することで、フック部材４２と格納係合縁部８８との係合状態が解除されるとともに端部４４ａが格納嵌合孔８５から抜け、延長上面整畦部４０を格納保持機構８０から取り外すことができる。
【０１１２】
また、本実施形態においては、延長上面整畦部４０が押し込まれることで、格納保持機構８０と取り付けシャフト８６との固定部位に荷重がかかることを考慮し、補強部材８７を格納保持機構８０と取り付けシャフト８６との間に設け、強度維持を図ることとしている。
【０１１３】
また、格納保持機構８０及び取り付けシャフト８６の配設位置について、図１８（ａ）に示した位置（ヒッチフレーム６の一端部）は一例であり、天場処理部６２、前処理部６４、整畦体６６における作業の支障とならない限り、畦塗り機１のいずれの位置であってもよいものである。
【符号の説明】
【０１１４】
１      畦塗り機
２０    法面整畦部
３０    上面整畦部
３２    切欠部
３５    嵌合孔
３８    係合縁部
４０    延長上面整畦部
４２    フック部材
４４    把持部材
４４ｂ  バネ部材
４４ｅ  解除ロック孔
４４ｄ  装着ロック孔
５０    ピン部材
【図１】
2014014294.tif 000003
【図２】
2014014294.tif 000004
【図３】
2014014294.tif 000005
【図４】
2014014294.tif 000006
【図５】
2014014294.tif 000007
【図６】
2014014294.tif 000008
【図７】
2014014294.tif 000009
【図８】
2014014294.tif 000010
【図９】
2014014294.tif 000011
【図１０】
2014014294.tif 000012
【図１１】
2014014294.tif 000013
【図１２】
2014014294.tif 000014
【図１３】
2014014294.tif 000015
【図１４】
2014014294.tif 000016
【図１５】
2014014294.tif 000017
【図１６】
2014014294.tif 000018
【図１７】
2014014294.tif 000019
【図１８】
2014014294.tif 000020